(57)【要約】【課題】部品点数および組立工程が増加することを抑制しつつ、装飾を施すことが可能なテレビジョン装置を提供する。【解決手段】この液晶テレビ装置１００（テレビジョン装置）は、表示画面部１と、表示画面部１のＹ１方向側に配置されるフロントキャビネット２と、表示画面部１のＹ２方向側を覆うリアキャビネット本体部３１を含むリアキャビネット３とを備え、リアキャビネット本体部３１のフロントキャビネット２側には、フレア部３２が一体的に形成されている。【選択図】図４
2012209701.tif 000002
【特許請求の範囲】
【請求項１】
表示画面部と、
前記表示画面部の前側に配置される前側筐体と、
前記表示画面部の後側を覆う後側筐体本体部を含む後側筐体とを備え、
前記後側筐体本体部の前記前側筐体側には、額縁飾り部が一体的に形成されている、テレビジョン装置。
【請求項２】
前記後側筐体本体部に一体的に設けられた前記額縁飾り部は、前記前側筐体の外側で、かつ、前記前側筐体の後側の端部よりも前側に突出するように形成されている、請求項１に記載のテレビジョン装置。
【請求項３】
前記後側筐体は、前記後側筐体本体部の内側に一体的に設けられ、前記前側筐体に当接するリブをさらに含む、請求項１または２に記載のテレビジョン装置。
【請求項４】
前記後側筐体は、前記額縁飾り部と前記後側筐体本体部との間に配置され、段差形状または溝形状を有する境界部をさらに含み、
前記額縁飾り部は、前記境界部を境に前記後側筐体本体部に対して、質感または色のうち少なくとも１つの異なる装飾を有するように構成されている、請求項１〜３のいずれか１項に記載のテレビジョン装置。
【請求項５】
前記境界部は、前記前側筐体の後側の端部よりも前側に配置されている、請求項４に記載のテレビジョン装置。
【請求項６】
前記リブは、前記前側筐体に当接する第１当接部と、前記第１当接部よりも後側に配置されて前記表示画面部に当接する第２当接部とを有する、請求項３に記載のテレビジョン装置。
【請求項７】
前記後側筐体本体部に一体的に設けられた前記額縁飾り部の前側の端部は、前記前側筐体の前側の端部よりも後側に配置されるように構成されている、請求項１〜６のいずれか１項に記載のテレビジョン装置。
【発明の詳細な説明】
【技術分野】
【０００１】
この発明は、テレビジョン装置に関し、特に、表示画面部と筐体とを備えたテレビジョン装置に関する。
【背景技術】
【０００２】
従来、表示画面部と筐体とを備えたテレビジョン装置が知られている（たとえば、特許文献１参照）。
【０００３】
上記特許文献１には、表示ユニット（表示画面部）と、表示ユニットの前側に配置される前面枠（前側筐体）と、表示ユニットの後側を覆うバックカバー（後側筐体）とを備えたプラズマディスプレイ装置（テレビジョン装置）が開示されている。このプラズマディスプレイ装置では、前面枠の前側に前面枠およびバックカバーとは別個に設けられた飾り用前面枠が取り付け可能に構成されている。
【先行技術文献】
【特許文献】
【０００４】
【特許文献１】特開２００４−７２１４９号公報
【発明の概要】
【発明が解決しようとする課題】
【０００５】
しかしながら、上記特許文献１のプラズマディスプレイ装置（テレビジョン装置）では、プラズマディスプレイ装置を装飾可能である一方、プラズマディスプレイ装置を装飾するために飾り用前面枠を別途設ける必要があるため、部品点数および組立工程が増加するという問題点がある。
【０００６】
この発明は、上記のような課題を解決するためになされたものであり、この発明の１つの目的は、部品点数および組立工程が増加することを抑制しつつ、装飾を施すことが可能なテレビジョン装置を提供することである。
【課題を解決するための手段および発明の効果】
【０００７】
この発明の一の局面によるテレビジョン装置は、表示画面部と、表示画面部の前側に配置される前側筐体と、表示画面部の後側を覆う後側筐体本体部を含む後側筐体とを備え、後側筐体本体部の前側筐体側には、額縁飾り部が一体的に形成されている。
【０００８】
この発明の一の局面によるテレビジョン装置では、上記のように、後側筐体の後側筐体本体部と一体的に額縁飾り部を設けることによって、装飾のための部材を別途設ける必要がないので、部品点数および組立工程が増加することを抑制しつつ、テレビジョン装置に装飾を施すことができる。また、前側筐体と後側筐体との間に装飾のための部材を別途設ける必要がなく、前側筐体と後側筐体とを直接組み合せることができるので、これによっても、組立工程を簡略化することができる。
【０００９】
上記一の局面によるテレビジョン装置において、好ましくは、後側筐体本体部に一体的に設けられた額縁飾り部は、前側筐体の外側で、かつ、前側筐体の後側の端部よりも前側に突出するように形成されている。このように構成すれば、後側筐体本体部に一体的に設けられ、前側筐体の後側の端部よりも前側に突出する額縁飾り部により、前側筐体の額縁に沿って装飾を施すことができる。また、前側筐体の後側の端部よりも前側に突出するように形成されている額縁飾り部の内側に装飾加工を施す場合でも、テレビジョン装置を組み立てる前（前側筐体の取り付け前）に額縁飾り部の内側に装飾加工を施せば、前側筐体が装飾加工の際に支障になることがないので、額縁飾り部の内側に容易に装飾加工を施すことができる。
【００１０】
上記一の局面によるテレビジョン装置において、好ましくは、後側筐体は、後側筐体本体部の内側に一体的に設けられ、前側筐体に当接するリブをさらに含む。このように構成すれば、後側筐体本体部の内側に設けたリブを前側筐体に当接させて後側筐体に対する前側筐体の位置決めを容易に行うことができる。また、後側筐体本体部に一体的に設けられたリブにより、後側筐体本体部の機械的な強度を向上させることができる。
【００１１】
上記一の局面によるテレビジョン装置において、好ましくは、後側筐体は、額縁飾り部と後側筐体本体部との間に配置され、段差形状または溝形状を有する境界部をさらに含み、額縁飾り部は、境界部を境に後側筐体本体部に対して、質感または色のうち少なくとも１つの異なる装飾を有するように構成されている。このように構成すれば、額縁飾り部を後側筐体本体部に対して、質感または色のうち少なくとも１つの異なる装飾にする際に、段差形状または溝形状を有する境界部により、互いに異なる装飾の境界の位置決めを容易に行うことができる。
【００１２】
この場合、好ましくは、境界部は、前側筐体の後側の端部よりも前側に配置されている。このように構成すれば、前側筐体の後側の端部よりも前側で質感または色のうち少なくとも１つを容易に変化させることができる。これにより、たとえば、境界部よりも前側の額縁装飾部を透明にした場合でも、境界部よりも後側まで配置された前側筐体により、テレビジョン装置の内部が透けて見えることを抑制することができる。
【００１３】
上記後側筐体がリブを含む構成において、好ましくは、リブは、前側筐体に当接する第１当接部と、第１当接部よりも後側に配置されて表示画面部に当接する第２当接部とを有する。このように構成すれば、リブの第１当接部により、後側筐体に対する前側筐体の位置決めを容易に行うことができるとともに、リブの第２当接部により、後側筐体に対する表示画面部の位置決めを容易に行うことができるので、共通のリブで後側筐体に対して前側筐体および表示画面部の両方の位置決めを行うことができる。
【００１４】
上記一の局面によるテレビジョン装置において、好ましくは、後側筐体本体部に一体的に設けられた額縁飾り部の前側の端部は、前側筐体の前側の端部よりも後側に配置されるように構成されている。このように構成すれば、テレビジョン装置の組立時に、前側筐体の前側を所定の面に当接させた状態で後側筐体を取り付ける場合に、額縁飾り部の前側の端部が前側筐体の前側の端部よりも突出しないので、前側筐体の前側を所定の面に当接させた状態を維持しながら、前側筐体に対して、額縁飾り部が一体的に設けられた後側筐体を取り付けることができる。その結果、額縁飾り部を後側筐体本体部に一体的に設けたとしても、組立作業を容易に行うことができる。
【図面の簡単な説明】
【００１５】
【図１】本発明の第１および第２実施形態による液晶テレビ装置の全体構成を示した斜視図である。
【図２】本発明の第１実施形態による液晶テレビ装置の全体構成を示した分解斜視図である。
【図３】本発明の第１実施形態による液晶テレビ装置のリアキャビネットを示した斜視図である。
【図４】本発明の第１実施形態による液晶テレビ装置の図１の３００−３００線に沿った断面図である。
【図５】本発明の第１および第２実施形態による液晶テレビ装置の図１の４００−４００線に沿った断面図である。
【図６】本発明の第２実施形態による液晶テレビ装置の図１の３００−３００線に沿った断面図である。
【図７】本発明の第１および第２実施形態による液晶テレビ装置の変形例を示した断面図である。
【発明を実施するための形態】
【００１６】
以下、本発明の実施形態を図面に基づいて説明する。
【００１７】
（第１実施形態）
まず、図１〜図５を参照して、本発明の第１実施形態による液晶テレビ装置１００の構成について説明する。なお、液晶テレビ装置１００は、本発明の「テレビジョン装置」の一例である。
【００１８】
本発明の第１実施形態による液晶テレビ装置１００は、図１および図２に示すように、表示画面部１と、フロントキャビネット２と、リアキャビネット３と、支持台４とを備えている。なお、フロントキャビネット２は、本発明の「前側筐体」の一例であり、リアキャビネット３は、本発明の「後側筐体」の一例である。
【００１９】
表示画面部１は、液晶パネルモジュールからなり、前側（Ｙ１方向側）に位置する表示面１１に映像を表示可能に構成されている。また、表示画面部１は、図１および図２に示すように、正面から見て（Ｙ１方向から見て）、略矩形形状を有している。
【００２０】
フロントキャビネット２は、図１および図２に示すように、液晶テレビ装置１００の前側（Ｙ１方向側）に配置されている。具体的には、フロントキャビネット２は、表示画面部１およびリアキャビネット３よりも前側（Ｙ１方向側）に配置されている。また、フロントキャビネット２は、樹脂部材からなり、表示画面部１を支持するように構成されている。また、フロントキャビネット２は、表示画面部１の表示面１１の縁部近傍を覆うように設けられている。また、フロントキャビネット２は、枠形状に形成されている。具体的には、フロントキャビネット２は、平面的に見て、略矩形形状の外形を有するとともに、略矩形形状の開口部２１を有している。開口部２１は、表示画面部１の表示面１１を露出させるために設けられている。また、フロントキャビネット２の正面側（Ｙ１方向側）は、黒色で光沢加工が施されている。また、フロントフロントキャビネット２には、図５に示すように、フロントキャビネット２およびリアキャビネット３を、互いにネジ止めするための複数のネジ穴２２が設けられている。
【００２１】
リアキャビネット３は、図１および図２に示すように、液晶テレビ装置１００の後側（Ｙ２方向側）に配置されている。また、リアキャビネット３は、図３に示すように、平面的に見て、略矩形形状を有している。また、リアキャビネット３は、主成分がポリカーボネートの樹脂部材からなり、Ｙ２方向に凹む凹形状に形成されている。リアキャビネット３は、図１および図２に示すように、リアキャビネット本体部３１と、フレア部３２と、境界部３３と、複数のリブ３４と、複数の貫通孔３５（図３および図５参照）とを含んでいる。なお、リアキャビネット本体部３１は、本発明の「後側筐体本体部」の一例であり、フレア部３２は、本発明の「額縁飾り部」の一例である。
【００２２】
リアキャビネット本体部３１は、表示画面部１の後側を覆うように構成されている。リアキャビネット本体部３１は、図２および図３に示すように、略矩形形状の底部３１ａと、底部３１ａの縁部に設けられた外周壁部３１ｂとを含んでいる。底部３１ａは、略平板形状を有するとともに、液晶テレビ装置１００の後側（Ｙ２方向側）の略全体を覆う大きさを有している。また、外周壁部３１ｂは、底部３１ａから前側（Ｙ１方向側）に突出するように形成されている。また、外周壁部３１ｂは、底部３１ａの全周を囲むように配置されている。また、リアキャビネット本体部３１は、黒色に塗装されている。具体的には、リアキャビネット本体部３１は、境界部３３により位置決めを行い、黒色に塗装されている。
【００２３】
ここで、本実施形態では、フレア部３２は、液晶テレビ装置１００を装飾するための部分であり、リアキャビネット本体部３１の前側（Ｙ１方向側）に一体的に形成されている。具体的には、フレア部３２は、リアキャビネット本体部３１の外周壁部３１ｂから前側（Ｙ１方向側）に突出するようにリアキャビネット本体部３１に一体的に形成されている。また、フレア部３２は、図１および図４に示すように、フロントキャビネット２の外側で、かつ、フロントキャビネットの後側（Ｙ２方向側）の端部２ｂよりも前側（Ｙ１方向側）に突出するように形成されている。つまり、フレア部３２は、図１に示すように、液晶テレビ装置１００が組み立てられた状態で、フロントキャビネット２よりも外側に突出する（張り出す）ように形成されている。また、フレア部３２は、透明の薄い黒色の外観を有している。つまり、フレア部３２は、境界部３３を境にリアキャビネット本体部３１に対して、質感および色の異なる装飾を有するように構成されている。また、フレア部３２の前側（Ｙ１方向側）の端部３２ａは、フロントキャビネット２の前側（Ｙ１方向側）の端部２ａよりも後側（Ｙ２方向側）に配置されるように構成されている。
【００２４】
境界部３３は、図４に示すように、リアキャビネット本体部３１とフレア部３２との間に配置され、段差形状を有している。具体的には、境界部３３は、リアキャビネット本体部３１側に比べてフレア部３２側の方が約０．２ｍｍ外側に盛り上がった段差形状を有している。また、境界部３３は、フロントキャビネット２の後側（Ｙ２方向側）の端部２ｂよりも前側（Ｙ１方向側）に配置されている。
【００２５】
複数のリブ３４は、図３に示すように、リアキャビネット本体部３１の内側に一体的に設けられている。また、複数のリブ３４は、外周壁部３１ｂの内側に所定の間隔で配置されている。また、リブ３４の前側（Ｙ１方向側）の端部３４ｂは、図２および図４に示すように、フロントキャビネット２の後側（Ｙ２方向側）の端部２ｂに当接するように構成されている。
【００２６】
複数の貫通孔３５は、図５に示すように、フロントキャビネット２およびリアキャビネット３を、ネジ３５１により互いにネジ止めするために設けられている。貫通孔３５は、リアキャビネット本体部３１の外周壁部３１ｂに設けられている。
【００２７】
支持台４は、液晶テレビ装置１００を自立可能にするために設けられている。また、支持台４は、図示しない取付部によりリアキャビネット３に取り付けられている。
【００２８】
第１実施形態では、上記のように、リアキャビネット本体部３１と一体的にフレア部３２を設けることによって、装飾のための部材を別途設ける必要がないので、部品点数および組立工程が増加することを抑制しつつ、液晶テレビ装置１００に装飾を施すことができる。このような効果は、装飾が目立つ大型の液晶テレビ装置１００で特に有効である。また、フロントキャビネット２とリアキャビネット３との間に装飾のための部材を別途設ける必要がなく、フロントキャビネット２とリアキャビネット３とを直接組み合せることができるので、これによっても、組立工程を簡略化することができる。
【００２９】
また、第１実施形態では、リアキャビネット本体部３１に一体的に設けられたフレア部３２を、フロントキャビネット２の外側で、かつ、フロントキャビネット２の後側（Ｙ２方向側）の端部２ｂよりも前側（Ｙ１方向側）に突出するように形成することによって、リアキャビネット本体部３１に一体的に設けられ、フロントキャビネット２の後側（Ｙ２方向側）の端部２ｂよりも前側（Ｙ１方向側）に突出するフレア部３２により、フロントキャビネット２の額縁に沿って装飾を施すことができる。また、フロントキャビネット２のＹ２方向側の端部２ｂよりもＹ１方向側に突出するように形成されているフレア部３２の内側に装飾加工を施す際に、液晶テレビ装置１００を組み立てる前（フロントキャビネット２の取り付け前）にフレア部３２の内側に装飾加工を施せば、フロントキャビネット２が装飾加工の際に支障になることがないので、フレア部３２の内側に容易に装飾加工を施すことができる。また、Ｙ方向の厚みが大きくなりがちな大型の液晶テレビ装置１００であっても、リアキャビネット本体部３１に一体的に設けられ前側（Ｙ１方向側）に突出するように形成されたフレア部３２により、薄く見せる効果も期待できる。
【００３０】
また、第１実施形態では、リアキャビネット本体部３１の内側に一体的に設けられ、フロントキャビネット２に当接するリブ３４を含むようにリアキャビネット３を構成することによって、リアキャビネット本体部３１の内側に設けたリブ３４をフロントキャビネット２に当接させてリアキャビネット３に対するフロントキャビネット２の位置決めを容易に行うことができる。また、リアキャビネット本体部３１に一体的に設けられたリブ３４により、リアキャビネット本体部３１の機械的な強度を向上させることができる。
【００３１】
また、第１実施形態では、リアキャビネット３に、フレア部３２とリアキャビネット本体部３１との間に配置され、段差形状を有する境界部３３を設け、フレア部３２を、境界部３３を境にリアキャビネット本体部３１に対して、質感および色の異なる装飾を有するように構成することによって、フレア部３２をリアキャビネット本体部３１に対して、質感および色の異なる装飾にする際に、段差形状を有する境界部３３により、互いに異なる装飾の境界の位置決めを容易に行うことができる。
【００３２】
また、第１実施形態では、境界部３３を、フロントキャビネット２の後側（Ｙ２方向側）の端部２ｂよりも前側（Ｙ１方向側）に配置することによって、フロントキャビネット２の後側（Ｙ２方向側）の端部２ｂよりも前側（Ｙ１方向側）で質感および色を容易に変化させることができる。これにより、境界部３３よりも前側（Ｙ１方向側）のフレア部３２が透明であっても、境界部３３よりも後側（Ｙ２方向側）まで配置されたフロントキャビネット２により、液晶テレビ装置１００の内部が透けて見えることを抑制することができる。
【００３３】
また、第１実施形態では、リアキャビネット本体部３１に一体的に設けられたフレア部３２の前側（Ｙ１方向側）の端部３２ａを、フロントキャビンネット２の前側（Ｙ１方向側）の端部２ａよりも後側（Ｙ２方向側）に配置されるように構成することによって、液晶テレビ装置１００の組立時に、フロントキャビネット２の前側（Ｙ１方向側）を所定の面に当接させた状態でリアキャビネット３を取り付ける場合に、フレア部３２の前側（Ｙ１方向側）の端部３２ａがフロントキャビネット２の前側（Ｙ１方向側）の端部２ａよりも突出しないので、フロントキャビネット２の前側（Ｙ１方向側）を所定の面に当接させた状態を維持しながら、フロントキャビネット２に対して、フレア部３２が一体的に設けられたリアキャビネット３を取り付けることができる。その結果、フレア部３２をリアキャビネット本体部３１に一体的に設けたとしても、組立作業を容易に行うことができる。
【００３４】
（第２実施形態）
次に、図１、図５および図６を参照して、本発明の第２実施形態による液晶テレビ装置２００（図１参照）の構成について説明する。この第２実施形態では、リブ３４がフロントキャビネット２に当接するように構成されていた上記第１実施形態と異なり、リブ３６がフロントキャビネット２および表示画面部１の両方に当接するように構成されている液晶テレビ装置２００について説明する。
【００３５】
液晶テレビ装置２００は、図１に示すように、第１実施形態による液晶テレビ装置１００と同様に、表示画面部１と、フロントキャビネット２と、リアキャビネット３と、支持台４とを備えている。フロントキャビネット２は、図１に示すように、液晶テレビ装置２００の前側（Ｙ１方向側）に配置されている。リアキャビネット３は、図１に示すように、液晶テレビ装置２００の後側（Ｙ２方向側）に配置されている。また、リアキャビネット３は、図６に示すように、リアキャビネット本体部３１と、フレア部３２と、境界部３３と、複数のリブ３６と、複数の貫通孔３５（図５参照）とを含んでいる。また、フレア部３２は、リアキャビネット本体部３１の前側（Ｙ１方向側）に一体的に形成されている。
【００３６】
ここで、本実施形態では、複数のリブ３６は、リアキャビネット本体部３１の内側に一体的に設けられている。また、複数のリブ３６は、外周壁部３１ｂの内側に所定の間隔で配置されている。また、図６に示すように、リアキャビネット本体部３１に設けられたリブ３６は、フロントキャビネット２に当接する第１当接部３６ａと、第１当接部３６ａよりも後側（Ｙ２方向側）に配置されて表示画面部１に当接する第２当接部３６ｂとを含んでいる。具体的には、リブ３６は段差形状を有している。また、リブ３６の第２当接部３６ｂは、第１当接部３６ａより内側で、かつ、後側（Ｙ２方向側）に形成されている。
【００３７】
なお、第２実施形態のその他の構成は、上記第１実施形態と同様である。
【００３８】
上記のように、第２実施形態の構成においても、上記第１実施形態と同様に、リアキャビネット本体部３１に一体的にフレア部３２を設けることによって、部品点数および組立工程が増加することを抑制しつつ、液晶テレビ装置２００に装飾を施すことができる。
【００３９】
さらに、第２実施形態では、上記のように、フロントキャビネット２に当接する第１当接部３６ａと、第１当接部３６ａよりもＹ２方向側に配置されて表示画面部１に当接する第２当接部３６ｂとを有するようにリブ３６を構成することによって、リブ３６の第１当接部３６ａにより、リアキャビネット３に対するフロントキャビネット２の位置決めを容易に行うことができるとともに、リブ３６の第２当接部３６ｂにより、リアキャビネット３に対する表示画面部１の位置決めを容易に行うことができるので、共通のリブ３６でリアキャビネット３に対してフロントキャビネット２と表示画面部１との両方を位置決めすることができる。
【００４０】
なお、第２実施形態のその他の効果は、上記第１実施形態と同様である。
【００４１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４２】
たとえば、上記第１および第２実施形態では、テレビジョン装置の一例として、液晶テレビ装置を示したが、本発明はこれに限られない。本発明では、表示画面部と前側筐体と後側筐体とを有するテレビジョン装置であれば、液晶テレビ装置以外の他のテレビジョン装置であってもよい。
【００４３】
また、上記第１および第２実施形態では、境界部が段差形状を有する構成の例を示したが、本発明はこれに限られない。本発明では、図７に示すように、境界部３７が溝形状を有する構成であってもよい。
【００４４】
また、上記第１および第２実施形態では、額縁飾り部としてのフレア部が、後側筐体本体部としてのリアキャビネット本体部に対して、質感および色の両方が異なる装飾を有する構成の例を示したが、本発明はこれに限られない。本発明では、額縁飾り部が、後側筐体本体部に対して、質感または色のうちいずれか１つが異なる装飾を有する構成であってもよい。また、額縁飾り部が、後側筐体本体部と同一の質感および色の装飾を有する構成であってもよい。この場合、額縁飾り部と後側筐体本体部との間の境界部は設けなくてもよい。
【符号の説明】
【００４５】
１  表示画面部
２  フロントキャビネット（前側筐体）
３  リアキャビネット（後側筐体）
３１  リアキャビネット本体部（後側筐体本体部）
３２  フレア部（額縁飾り部）
３３、３７  境界部
３４、３６  リブ
３６ａ  第１当接部
３６ｂ  第２当接部
１００、２００  液晶テレビ装置（テレビジョン装置）
【図１】
2012209701.tif 000003
【図２】
2012209701.tif 000004
【図３】
2012209701.tif 000005
【図４】
2012209701.tif 000006
【図５】
2012209701.tif 000007
【図６】
2012209701.tif 000008
【図７】
2012209701.tif 000009